(57)【要約】【課題】操作ノブに対する閉方向への回動操作が完了し空気吹出し口が閉状態になったことを操作者が容易に実感することができるフィンシャットレジスタのクリック感出し機構を提供すること。【解決手段】操作ノブ５dが設けられたフィン５の右端回動軸部５bから、該回動軸部５bに対して垂直方向に弾性アーム部５eを延設するとともに、リテーナ１に、弾性アーム部５eが笛吹き音の発生する角度位置の手前から操作ノブ５dに対する閉方向への回動操作が完了する角度位置の手前まで回動する範囲において、弾性アーム部５eを複数回に亘って繰り返し弾性変形及び弾性復帰させるボス部１jを設け、ボス部１jは、吹出し空気圧に基づく弾性アーム部５eの回動に対しては、その回動を規制し得るよう構成される。【選択図】図１
2006160118.tif 000002
【特許請求の範囲】
【請求項１】
互いに平行に配置された複数のフィンと、いずれか１つのフィンに設けられ操作者によって回動操作される操作ノブと、前記フィン相互間を連結し、前記操作ノブに対する回動操作に連動して前記各フィンの傾き角度を変化させる連結手段とを備え、前記操作ノブに対して空気吹出し口を閉じる方向への回動操作が完了したとき、前記連結手段を介して前記フィン全体でもって空気吹出し口が閉状態になるフィンシャットレジスタにおいて、
前記操作ノブが設けられたフィンの回動軸の一端部から、該回動軸に対して垂直方向に弾性アーム部を延設するとともに、
ハウジング側に、前記弾性アーム部が笛吹き音の発生する角度位置の手前から前記操作ノブに対する前記閉方向への回動操作が完了する角度位置の手前まで回動する範囲において、該弾性アーム部を複数回に亘って繰り返し弾性変形及び弾性復帰させる変形付与部を設け、
該変形付与部は、吹出し空気圧に基づく前記弾性アーム部の回動に対しては、その回動を規制し得るよう構成される
ことを特徴とするフィンシャットレジスタのクリック感出し機構。
【請求項２】
前記弾性アーム部は、その基部側の前記回動軸と同心円上に形成された円弧状変形部を有し、また、前記変形付与部は、前記ハウジングの外側面に突設されたボス部により構成され、前記円弧状変形部の先端突起部が前記ボス部の突起部を乗り越えるときに前記円弧状変形部が弾性変形することを特徴とする請求項１に記載のフィンシャットレジスタのクリック感出し機構。
【発明の詳細な説明】
【技術分野】
【０００１】
本発明は、フィンシャットレジスタのクリック感出し機構、詳しくは、車両用空調装置等の空気吹出し口を構成するフィンシャットレジスタにおいて、操作者が操作ノブに対して空気吹出し口を閉じる方向へ回動操作したとき、空気吹出し口が閉状態になったことを操作者にクリック感で実感させるためのクリック感出し機構に関する。
【背景技術】
【０００２】
従来から、車両用空調装置の空気吹出し口を構成するレジスタとして、互いに平行に配置された複数のフィンと、いずれか１つのフィンに設けられ操作者によって回動操作される操作ノブと、フィン相互間を連結し、操作ノブに対する回動操作に連動して各フィンの傾き角度を変化させる連結手段とを備え、操作ノブに対して空気吹出し口を閉じる方向への回動操作が完了したとき、連結手段を介してフィン全体でもって空気吹出し口が閉状態になるフィンシャットレジスタが知られている。なお、特許文献１には、スイッチ操作によって空気吹出し口を閉状態にするタイプのフィンシャットレジスタが開示されている。
【特許文献１】特開平１１−１９８６４６号公報
【発明の開示】
【発明が解決しようとする課題】
【０００３】
しかし、従来のフィンシャットレジスタによると、操作者が操作ノブを回動操作したとき、操作者が操作ノブから受ける感覚は、操作ノブの回動範囲の全体にわたって略一定の感覚となるため、実際に空気吹出し口が閉状態になったにもかかわらず、操作者は操作ノブに対する閉方向への回動操作が完了したと実感することができないという問題がある。
【０００４】
また、空気吹出し口が閉状態に近い開状態のとき、異音いわゆる笛吹き音が発生するとともに、強い吹出し空気圧によって自動的にフィン全体が空気吹出し口を閉じ、空気吹出し口から空気が吹出されなくなる場合が発生し得るという問題がある。
【０００５】
本発明は、上記のような従来技術の問題点を解決し、操作ノブに対する閉方向への回動操作が完了し空気吹出し口が閉状態になったことを操作者が容易に実感することができるフィンシャットレジスタのクリック感出し機構を提供することを第１の目的とする。また、本発明は、空気吹出し口が閉状態に近い開状態のときの異音いわゆる笛吹き音の発生を防止するとともに、強い吹出し空気圧により空気吹出し口が自動的に閉状態になることを防止することができるフィンシャットレジスタのクリック感出し機構を提供することを第２の目的とする。
【課題を解決するための手段】
【０００６】
本発明によるフィンシャットレジスタのクリック感出し機構は、互いに平行に配置された複数のフィンと、いずれか１つのフィンに設けられ操作者によって回動操作される操作ノブと、前記フィン相互間を連結し、前記操作ノブに対する回動操作に連動して前記各フィンの傾き角度を変化させる連結手段とを備え、前記操作ノブに対して空気吹出し口を閉じる方向への回動操作が完了したとき、前記連結手段を介して前記フィン全体でもって空気吹出し口が閉状態になるフィンシャットレジスタにおいて、前記操作ノブが設けられたフィンの回動軸の一端部から、該回動軸に対して垂直方向に弾性アーム部を延設するとともに、ハウジング側に、前記弾性アーム部が笛吹き音の発生する角度位置の手前から前記操作ノブに対する前記閉方向への回動操作が完了する角度位置の手前まで回動する範囲において、該弾性アーム部を複数回に亘って繰り返し弾性変形及び弾性復帰させる変形付与部を設け、該変形付与部は、吹出し空気圧に基づく前記弾性アーム部の回動に対しては、その回動を規制し得るよう構成されることを特徴とする。
【０００７】
本発明によるフィンシャットレジスタのクリック感出し機構において、操作者が空気吹出し口を閉状態にするために操作ノブを回動操作したとき、弾性アーム部は、笛吹き音の発生する角度位置の手前からこの閉方向への回動操作が完了する角度位置の手前まで回動する間に、変形付与部によって複数回に亘って繰り返し弾性変形及び弾性復帰する。この弾性アーム部の弾性変形及び弾性復帰の繰り返しは操作者にクリック感として伝達され、操作者は、このクリック感を感じることによって回動操作が完了し、空気吹出し口が閉状態になったことを容易に認識できるようになる。換言すると、操作者は、クリック感を感じない間は、空気吹出し口が未だ閉状態になっていないと容易に認識できるようになる。
【０００８】
また、強い吹出し空気圧によってフィンが閉方向へ自動的に回動開始した場合、このフィンの回動により連結手段を介して弾性アーム部が変形付与部と係合するようになるが、弾性アーム部は変形付与部によってそれ以上は回動できなくなる。このためフィンの自動回動は停止し、空気吹出し口が閉状態になることはない。また、このフィンの回動停止位置は笛吹き音が発生する手前であるため、笛吹き音は発生しない。
【０００９】
ここで、前記弾性アーム部は、その基部側の前記回動軸と同心円上に形成された円弧状変形部を有し、また、前記変形付与部は、前記ハウジングの外側面に突設されたボス部により構成され、前記円弧状変形部の先端突起部が前記ボス部の突起部を乗り越えるときに前記円弧状変形部が弾性変形する。
【発明を実施するための最良の形態】
【００１０】
以下、本発明の実施形態を図面に基づいて説明する。
【００１１】
図１は、本発明の一実施形態に係るクリック感出し機構を備えたフィンシャットレジスタの分解斜視図、図２は、操作ノブが設けられた横フィンの斜視図、図３〜図５は、操作ノブを閉方向へ回動操作したときの弾性アーム部とボス部との位置関係の遷移を表した説明図をそれぞれ示す。
【００１２】
図１において、フィンシャットレジスタは、ハウジングとして四角筒状のリテーナ１を備える。
【００１３】
リテーナ１の天井部１aには、図示しないが横方向に５つの貫通孔が穿設されており、各貫通孔に、縦フィン（奥フィン）２の上端回動軸部２aが回動可能に挿通される。また、リテーナ１の床部１bには、前方へ開口した５つの溝１cが横方向に形成されており、各溝１cに、縦フィン２の下端回動軸部２bが回動可能に嵌合される。
【００１４】
５つの縦フィン２は、各縦フィン５の上端面に突設されたピン２cを横ロッド３の貫通孔３aに嵌合することによって互いに連結される。また、中央に位置する縦フィン２の下端回動軸部２bから後方へ回動レバー部２dが延設されている。この回動レバー部２dは、操作者によって回動操作される略円板状の操作ダイヤル４の後部上面に突設したリブ４aと係合される。操作ダイヤル４は、リテーナ１の床部１bの下面に回動可能に取着され、操作ダイヤル４の前部つまり操作部４bは、リテーナ１の前面に取着されるベゼル６の下端部開口部６aから前方へ突出した状態となる。
【００１５】
操作者が操作ダイヤル４の操作部４bを回動操作したとき、リブ４aは操作ダイヤル４の回動孔部４c（リテーナ床部１bの下面に設けられた回動凸部１dに嵌合される孔部）を中心に円弧運動を行い、このリブ４aの円弧運動に連動して回動レバー部２dが中央の縦フィン２の回動軸２a,２bを中心に回動し、これにより、中央の縦フィン２が回動し、同時に横ロッド３を介して他の縦フィン２も各回動軸２a,２b回りに回動する。この各縦フィン２の回動により、左右方向の風向きが調整される。
【００１６】
リテーナ１の左側壁部１eの前端部には、縦方向に１つの溝１fとこの溝１fを中央に挟む６つの貫通孔１gが形成されており、各貫通孔１gに、横フィン５（前フィン）の左端回動軸部５aが回動可能に挿通され、また、溝１fに、中央に位置する横フィン５の左端回動軸部５aを回動可能に保持するシム７が嵌合される。また、リテーナ１の右側壁部１hの前端部には、前方へ開口した７つの溝１iが縦方向に形成されており、各溝１iに、横フィン５の右端回動軸部５bが回動可能に嵌合される。
【００１７】
７つの横フィン５は、各横フィン５の右端面に突設されたピン５cを縦ロッド８の貫通孔８aに嵌合することによって互いに連結される。縦ロッド８は、リテーナ１の右側壁部１hの外側面側に配される。また、中央に位置する横フィン５には、操作者によって回動操作される操作ノブ５dが形成されている。
【００１８】
中央に位置する横フィン５の右端回動軸部５bから、この右端回動軸部５bに対し垂直方向かつ後方へ弾性アーム部５eが延設されている。弾性アーム部５eは、右端回動軸部５bと同心円上に形成された円弧状変形部５fを有し、この円弧状変形部５fの先端は、内側に突出した突起部５gで構成される。
【００１９】
リテーナ１の右側壁部１hの外側面に、変形付与部としてのボス部１jが突設されている。このボス部１jは、操作ノブ５dが回動操作されたときに弾性アーム部５eの円弧状変形部５fの先端突起部５gが描く円弧運動の軌跡に沿って形成されており、ボス部１jの両端部１k,１lは、それぞれ円弧状変形部５fの先端突起部５gと当接可能に、円弧状変形部５f側に突出した突起部で構成されている。また、図２に示すように、各横フィン５の右端回動軸部５bに、縦ロッド８の前面８bと当接可能なストッパー５hが形成されており、ストッパー５hの一面５iが縦ロッド８の前面８bと当接状態になると、全ての横フィン５が略垂直状態となって空気吹出し口９が閉状態となり（図５図示の状態に対応する。）、また、ストッパー５hの他の面５jが縦ロッド８の前面８bと当接状態になると、全ての横フィン５が略水平状態となって空気吹出し口９が開状態となる（図３図示の状態に対応する。）。各横フィン５は、その傾き角度によって略水平方向の風向きから斜め下向きの風向きまでの風向きを調整可能である。
【００２０】
各横フィン５が略水平状態となる空気吹出し口９の開時には、弾性アーム部５eは、図３に示すように、ボス部１jから最も離れて位置する。この開時から操作者が操作ノブ５dを押下げる方向つまり閉方向へ回動操作すると、中央の横フィン５は回動軸５a,５b回りに回動し、同時に縦ロッド８を介して他の横フィン５も各回動軸５a,５b回りに回動する。この中央の横フィン５の回動に伴い、弾性アーム部５eの円弧状変形部５fは回動軸５a,５bを中心とした円弧運動を開始する。そして、円弧状変形部５fが図４に示す位置までくると、円弧状変形部５fの先端突起部５gがボス部１jの一方の突起部１kと当接し、先端突起部５gがボス部突起部１kを乗り越えるように円弧状変形部５fが弾性変形する。先端突起部５gがボス部突起部１kを乗り越え終わると、円弧状変形部５fは弾性復帰する。この弾性復帰後は、円弧状変形部５fの先端突起部５gが今度はボス部１jの他方の突起部１lと当接し、先端突起部５gがこのボス部突起部１lを乗り越えるように円弧状変形部５fが弾性変形する。図５に示すように先端突起部５gがボス部突起部１lを乗り越え終わると、円弧状変形部５fは弾性復帰する。この弾性復帰したとき、各ストッパー５hの一面５iが縦ロッド８の前面８bと当接状態になり、全ての横フィン５が略垂直状態となって空気吹出し口９が閉状態となる。
【００２１】
このように、操作者が操作ノブ５dを押し下げる方向つまり閉方向へ回動操作すると、略水平状態の各横フィン５は回動を開始し、円弧状変形部５fの先端突起部５gがボス部１jの一方の突起部１kと当接すると、先端突起部５gがボス部突起部１kを乗り越えるように円弧状変形部５fが弾性変形した後弾性復帰し、次に先端突起部５gがボス部１jの他方の突起部１lと当接すると、上記と同様に先端突起部５gがボス部突起部１lを乗り越えるように円弧状変形部５fが弾性変形した後弾性復帰し、各横フィン５が略垂直状態となり空気吹出し口９は閉状態になる。
【００２２】
ここで、ボス部１jの一方の突起部１kは、笛吹き音の発生する角度位置の手前まで弾性アーム部５eが回動してきたときに円弧状変形部５fの先端突起部５gと当接する位置に形成されており、また、ボス部１jの他方の突起部１lは、操作ノブ５dに対する閉方向への回動操作が完了する角度位置の手前まで弾性アーム部５eが回動してきたときに円弧状変形部５fの先端突起部５gと当接する位置に形成されている。
【００２３】
このため、操作者が空気吹出し口９を閉状態にするために操作ノブ５dを回動操作したとき、弾性アーム部５eは、笛吹き音の発生する角度位置の手前からこの閉方向への回動操作が完了する角度位置の手前まで回動する間に、ボス部１jによって複数回（本実施形態では２回）に亘って繰り返し弾性変形及び弾性復帰する。この弾性アーム部５eの弾性変形及び弾性復帰の繰り返しは操作者にクリック感として伝達され、操作者は、このクリック感を感じることによって回動操作が完了し、空気吹出し口９が閉状態になったことを容易に認識できるようになる。換言すると、操作者は、クリック感を感じない間は、空気吹出し口９が未だ閉状態になっていないと容易に認識できるようになる。
【００２４】
また、強い吹出し空気圧によって横フィン５が閉方向へ自動的に回動開始した場合、この横フィン５の回動により連結手段（ピン５c及び縦ロッド８）を介して弾性アーム部５eがボス部１jと係合するようになるが、弾性アーム部５eはボス部１ｊの一方の突起部1ｋによってそれ以上は回動できなくなる。このため横フィン５の自動回動は停止し、空気吹出し口９が閉状態になることはない。また、この横フィン５の回動停止位置は笛吹き音が発生する手前であるため、笛吹き音は発生しない。
【００２５】
なお、上記実施形態では、横フィン５によって空気吹出し口９を閉状態にするタイプのフィンシャットレジスタを示したが、本発明は、縦フィン２によって空気吹出し口を閉状態にするタイプに対しても適用可能なことはいうまでもない。また、変形付与部は、ボス部１jに限定されるものではなく、ボス部１jと同様な作用をすることができるものであればよい。
【図面の簡単な説明】
【００２６】
【図１】本発明の一実施形態に係るクリック感出し機構を備えたフィンシャットレジスタの分解斜視図である。
【図２】操作ノブが設けられたフィンの斜視図である。
【図３】操作ノブを閉方向へ回動操作したときの弾性アーム部とボス部との位置関係の遷移を説明するための説明図であって、回動操作開始時つまりフィンが全開状態のときを表した図である。
【図４】操作ノブを閉方向へ回動操作したときの弾性アーム部とボス部との位置関係の遷移を説明するための説明図であって、弾性アーム部がボス部の自動回動防止用抵抗部と当接開始するときを表した図である。
【図５】操作ノブを閉方向へ回動操作したときの弾性アーム部とボス部との位置関係の遷移を説明するための説明図であって、弾性アーム部とボス部の操作完了通知用抵抗部との当接が解除されたときを表した図である。
【符号の説明】
【００２７】
１    リテーナ（ハウジング）
１j    ボス部（変形付与部）
１k,１l    突起部
５    横フィン（フィン）
５b    右端回動軸部（回動軸の一端部）
５d    操作ノブ
５c    ピン（連結手段）
５e    弾性アーム部
５f    円弧状変形部
８    縦ロッド（連結手段）
９    空気吹出し口
【図１】
2006160118.tif 000003
【図２】
2006160118.tif 000004
【図３】
2006160118.tif 000005
【図４】
2006160118.tif 000006
【図５】
2006160118.tif 000007